(57)【特許請求の範囲】
【請求項１】
短繊維に成る太さが５００〜１００００デニールのスライバー糸条（１１）の長さ方向に間欠的に部分的に染液をスプレーによって付与し、染液の付与された着色部分（１５）と染液の付与されていない生地部分（１７）の間に染液の滲み出た境界部分（１６）を形成し、その短繊維に成るスライバー糸条（１１）を長さ方向に引き伸ばして境界部分（１６）を長くしてボカシ調にし、その短繊維に成るスライバー糸条（１１）に太さが２０〜５０デニールでありスライバー糸条（１１）の太さの１０分の１以下の合成繊維フィラメント糸（１２）を捲き付けて結束して当該短繊維に成るスライバー糸条（１１）の長さをセットすることを特徴とするタフテッドカーペット用無撚結束紡績パイル糸の部分染色法。
【請求項２】
短繊維に成る太さが５００〜１００００デニールのスライバー糸条（１１）の長さ方向に間欠的に部分的に染液をスプレーによって付与し、染液の付与された着色部分（１５）と染液の付与されていない生地部分（１７）の間に染液の滲み出た境界部分（１６）を形成し、その短繊維に成るスライバー糸条（１１）を長さ方向に引き伸ばして境界部分（１６）を長くしてボカシ調にし、その短繊維に成るスライバー糸条（１１）に太さが２０〜５０デニールでありスライバー糸条（１１）の太さの１０分の１以下の合成繊維フィラメント糸（１２）を捲き付けて結束して当該短繊維に成るスライバー糸条（１１）の長さをセットして成る部分染色無撚結束紡績糸（１３）によってパイル糸が構成されており、パイル糸の連続する方向に着色部分のパイル（１４ａ）とボカシ調色彩の境界部分のパイル（１４ｂ・１４ｃ）と生地部分のパイル（１４ｄ）が隣り合って並んでいることを特徴とするタフテッドカーペット用パイル布帛。
【発明の詳細な説明】
【０００１】
【発明の属する技術分野】
本発明は、主としてカーペットのパイル糸に使用される糸の部分染色法（スペースダイ）に関するものである。
【０００２】
【従来の技術】
糸の部分染色法には、走行する糸に捺染ロールやスプレー等によって間欠的に染液を付与する方法、或いは、走行する糸を染浴に間欠的に押し出して部分的に浸漬する方法がある。これらの方法では、染液を付与した着色部分と染液を付与しない生地部分との境界部分は、染液が滲んでボカシ調色彩を呈する。
【０００３】
【発明が解決しようとする課題】
そのボカシ効果は、細い糸には比較的効果的に現れ、その部分染色糸を用いて着色部分から生地部分へと色彩がなだらかに変化した絣物を得ることが出来るが、５００〜１００００デニールのパイル糸のように太い糸では、その付与した染液が糸の軸芯に向かって吸収されて糸の長さ方向には滲み出し難く、長さに対する太さの比率が少ない太い糸ではボカシ効果が少なくなる。特に、パイル布帛では、１個のパイルを形成するパイル糸の長さは、１個のパイルがパイル糸の連続する方向においてパイル布帛に占める長さの数倍になるので、そのパイル糸の連続する方向に着色部分のパイルとボカシ調色彩の境界部分のパイルと生地部分のパイルが並んで色彩がなだらかに変化し、色調の柔らかい穏やかなパイル布帛は得難い。
【０００４】
そして又、パイル糸のように５００〜１００００デニールの太い糸では、糸内部の軸芯をも着色するには染液を十分に付与しなければならないのであるが、染液が糸内部の軸芯にまで吸収されるためには相当の時間がかかり、走行する糸に付与した染液はその間に滴下し易いので、走行する糸には相当の長さにわたって染液を付与せざるを得ず、その結果、パイル布帛では、ボカシ調色彩のパイルが出来ても、それよりも多い数個の着色部分のパイルがその後に続くことになり、パイル列に占めるボカシ調色彩の境界部分のパイルの割合が少なくなるので、この点でも、着色部分のパイルとボカシ調色彩の境界部分のパイルと生地部分のパイルが並んでパイル列の色彩がなだらかに変化したパイル布帛は得難くなる。
【０００５】
【発明の目的】
そこで本発明は、着色部分から生地部分までの色彩がなだらかに変化し、パイル糸に適した部分染色糸を得ることを目的とする。
【０００６】
【課題を解決するための手段】
本発明は、短繊維に成るスライバー糸条１１の長さ方向に間欠的に部分的に染液を付与して後、その短繊維に成るスライバー糸条１１を長さ方向に引き伸ばし、その短繊維に成るスライバー糸条１１の長さをセットすることを特徴とする部分染色法を要旨とする。
【０００７】
具体的に言えば、短繊維に成るスライバー糸条１１にラップ糸１２を捲き付けて結束する無撚結束紡績工程の最終工程の前の工程において、スライバー糸条１１を部分的に着色する。
【０００８】
即ち、スライバー糸条１１を構成する短繊維間をラップ糸１２で結束した無撚結束紡績糸にあって、紡績カードから取り出されたスライバー糸条１１は、それをラップ糸１２で捲付結束する最終工程に至る紡績工程において、延伸され、その長さが最終工程でラップ糸１２によってセットされる。従って、染液の部分的付与直後のスライバー糸条１１の着色部分１５と生地部分１７の間の染液が滲み出た境界部分１６の長さ（ｄ）が短くても、その延伸後の境界部分１６の長さ（Ｄ）は色彩が着色部分１５に似た部分Ｄ1 から生地部分１７に似た部分Ｄ2 へと続く長いものとなる。そして、その最終工程の前の延伸過程では、スライバー糸条１１を構成する短繊維の全てが同じ長さ分だけ長さ方向に移動するのではなく、その移動する長さは各短繊維毎に異なるので、その境界部分１６の色彩がボカシ調になり易い。
【０００９】
又、ラップ糸１２で捲付結束される前のスライバー糸条１１は、その構成する短繊維間に隙間の多い開毛状態にあるので、それに付与した染液は滴下することなく直ちに糸内部の軸芯にまで吸収され、従って、着色部分１５と生地部分１７の長さを短くすることが出来、その結果、得られた部分染色糸１３をパイル糸に用いる場合は、パイル糸の連続する方向に着色部分のパイル１４ａとボカシ調色彩の境界部分のパイル１４ｂ・パイル１４ｃと生地部分のパイル１４ｄが略同数並んで色彩がなだらかに変化したパイル布帛が得やすくなる。図４は、本発明に係るパイル布帛の一部拡大断面図である。図中１９は、基布を示し、パイル１４はタフテッド機に通されて基布１９に植設されている。
【００１０】
特に、無撚結束紡績糸１３では、スライバー糸条１１の太さの１０分の１以下の細く伸び易い合成繊維フイラメント糸がラップ糸１２として使用されている一方、それをパイル糸に用いる場合には、タフテイングによるパイル布帛１８の製造過程でパイル糸（１３）に繰り返し作用する衝撃的テンションによってスライバー糸条内（１１）の短繊維が長さ方向にずれ動き、着色部分１５と生地部分１７の間の色彩変化がなだらかになり易い。
【００１１】
従って、本発明に係る部分染色法は、スライバー糸条１１を構成する短繊維間をラップ糸１２で結束して無撚結束紡績糸とする紡績工程の最終工程に至る前の工程において、スライバー糸条１１を部分的に着色し、その結束するラップ糸１２としてフイラメント糸を用いることを特徴とする。
【００１２】
又、本発明に係る部分染色法は、スライバー糸条１１を構成する短繊維間をラップ糸１２で結束して無撚結束紡績糸とする紡績工程の最終工程に至る前の工程において、スライバー糸条１１を部分的に着色することとし、そのスライバー糸条１１の太さを５００〜１００００デニールとし、その結束するラップ糸１２に太さが２０〜５０デニールのフイラメント糸を用いることを特徴とする。スライバー糸条１１の太さを５００〜１００００デニールとし、ラップ糸１２の太さを２０〜５０デニールとするのは、本発明がカーペットのパイル糸に使用される太さが５００〜１００００デニールの部分染色糸に関するものであるからである。
【００１３】
従って、本発明に係るパイル布帛は、短繊維に成るスライバー糸条１１にラップ糸（フイラメント糸）１２を捲き付けて結束する紡績工程の最終工程の前工程においてスライバー糸条１１を部分的に着色した部分染色糸１３によってパイル１４が構成されており、パイル糸の連続する方向に着色部分のパイル（１４ａ）とボカシ調色彩の境界部分の（パイル１４ｂ・パイル１４ｃ）と生地部分のパイル（１４ｄ）が隣り合って並んでいることを特徴とする。
【００１４】
【発明の実施の形態】
本発明に係る部分染色糸１３は、在来の糸条と引き揃え、或いは、合撚して使用することも出来る。部分染色前のスライバー糸条１１は、原着や原毛染めによって予め着色されていてもよい。ラップ糸（フイラメント糸）１２によってスライバー糸条１１を結束する場合、そのスライバー糸条１１に在来のマルチフイラメント糸や紡績糸を引き揃え、或いは又、部分的に着色された２条以上のスライバー糸条を引き揃え、その引き揃えた数条の糸条をラップ糸１２によって一纏めに結束することも出来る。
【００１５】
【発明の効果】
本発明によると、境界部分１６が長く、着色部分１５から生地部分１７へと色彩がなだらかに変化した部分染色糸１３が得られる。
【００１６】
本発明によると、そのような部分染色糸１３が、紡績工程の一部に染液を付与するスプレー装置を導入して簡便且つ経済的に得られる。
【００１７】
本発明によると、タフテイング工程において、着色部分１５と生地部分１７との間の境界部分の色彩のボカシ効果が増長される部分染色糸１３が得られる。
【００１８】
本発明によると、パイル糸１３に適した部分染色糸が得られる。
【００１９】
本発明によると、パイル糸１３の連続する方向において隣合うパイル１４ａ・１４ｂ・１４ｃ・１４ｄの色彩がなだらかに変化して柔らかく穏やかな色調のカーペットやモケット等のパイル布帛１８が得られる。
【図面の簡単な説明】
【図１】  本発明に係るスライバーの部分側面図である。
【図２】  本発明に係る部分染色糸の部分側面図である。
【図３】  本発明に係るパイル布帛のパイル面の斜視図である。
【図４】  本発明に係るパイル布帛の一部拡大断面図である。
【符号の説明】
１１  スライバー糸条
１２  ラップ糸
１３  部分染色糸
１４  パイル
１５  着色部分
１６  境界部分
１７  生地部分
１８  パイル布帛
１９  基布
【図１】
0003918079.tif 000002
【図２】
0003918079.tif 000003
【図３】
0003918079.tif 000004
【図４】
0003918079.tif 000005